(57)【特許請求の範囲】
【請求項１】
物品の立ち下がり部位、この物品の立ち下がり部位の上部あるいは適宜な箇所に設けられた、該物品の立ち下がり部位よりも左右に突出する部位を形成しているヘッドとからなるとともに、前記ヘッドの前側をヘッドの右側突出部位とし後側をヘッドの左側突出部位とした形態のあるいは該形態となる部位を有するＴ字型部位を有する物品のホルダーであって、
腰ベルトに装着する部位であるベルト装着手段と、
このベルト装着手段から外側に突出された部位あるいは該ベルト装着手段の上面からなる連絡部と、
この連絡部から外側に向けて設けられた前記ヘッドの右側突出部位を直接的にあるいは他の部材を介して間接的に載せる右側ヘッド載り部、この右側ヘッド載り部から立ち上がるように設けられた、前記ヘッドの外側に位置して該ヘッドの該外側への動きを規制する右側ヘッド外側移動規制部、この右側ヘッド外側移動規制部から内側に向けて設けられた、前記ヘッドの上方に位置して該ヘッドの上への動きを規制する右側ヘッド上がり移動規制部とからなる右側ヘッド保持部と、
前記連絡部から外側に向けて設けられた前記ヘッドの前記ヘッドの左側突出部位を直接的にあるいは他の部材を介して間接的に載せる左側ヘッド載り部、この左側ヘッド載り部から立ち上がるように設けられた、前記ヘッドの外側に位置して該ヘッドの外側への動きを規制する左側ヘッド外側移動規制部、この左側ヘッド外側移動規制部から内側に向けて設けられた、前記ヘッドの上方に位置して該ヘッドの上への動きを規制する左側ヘッド上がり移動規制部とからなる左側ヘッド保持部と、
前記右側ヘッド保持部と前記左側ヘッド保持部からなるヘッド保持部と、
前記右側ヘッド保持部と前記左側ヘッド保持部の間に形成された、前記ヘッドが前記ヘッド保持部に保持されている状態にあっては前記物品の立ち下がり部位の垂れ下がり状態を形成し且つ該物品の立ち下がり部位を前記右側ヘッド保持部と前記左側ヘッド保持部の間で回動自在とする立ち下がり部位移動空間と、
前記右側ヘッド上がり移動規制部と前記左側ヘッド上がり移動規制部の端部間に形成された、前記物品の立ち下がり部位の出し入れを可能とするための前記物品の立ち下がり部位回動自在空間と連絡した立ち下がり部位出入り口と、
この立ち下がり部位出入り口と連絡し該立ち下がり部位出入り口の下方に形成された、前記ヘッドを前記ヘッド保持部に出し入れするための右側ヘッド出入り開口と、
前記立ち下がり部位出入り口と連絡し該立ち下がり部位出入り口の内側で前記連絡部の上方に形成された、前記ヘッドを出し入れするための左側ヘッド出入り開口と、
前記連絡部の上方で前記ヘッド保持部の内側に形成された、前記立ち下がり部位出入り口、前記右側ヘッド出入り開口および前記左側ヘッド出入り開口に連絡したヘッド出し入れ空間と、
前記右側ヘッド載り部、前記左側ヘッド載り部側ないし前記連絡部側に設けられた、あるいは前記右側ヘッド載り部、左側ヘッド載り部側ないし前記連絡部側に位置された、前記物品の立ち下がり部位ないし前記ヘッドの内側への動きを規制する立ち下がり部位内側移動規制部と、
前記ヘッド保持部の下方に位置された、前記物品の立ち下がり部位を外側に出入り自在とする下立ち下がり部位出入り開口を形成する、前記物品の立ち下がり部位の右側への振れを規制する右側振れ規制部、前記物品の立ち下がり部位の左側への振れを規制する左側振れ規制部とからなる立ち下がり部位振れ規制部とを備えてなるとともに、
その形成形態が1本の棒状部材ないし1本の線状部材による形成形態であって、対抗曲げ形態によって前記立ち下がり部位内側移動規制部が形成され、この立ち下がり部位内側移動規制部から外側に向けた突出形態で且つ下方に向けて右側下方外側突出部位および左側下方外側突出部位が形成され、この右側下方外側突出部位および左側下方外側突出部位から内側に向かう形態で右側下部突出部位および左側下部突出部位が形成され、この右側下部突出部位および左側下部突出部位から立ち上がり形態で前記ベルト装着手段が形成され、このベルト装着手段から外側に向かって前記立ち下がり部位内側移動規制部上方を通る外側突出形態で前記右側ヘッド載り部および前記左側ヘッド載り部が形成され、この右側ヘッド載り部および左側ヘッド載り部から上方に立ち上がる形態で前記右側ヘッド外側移動規制部および前記左側ヘッド外側移動規制部が形成され、この右側ヘッド外側移動規制部および左側ヘッド外側移動規制部が内側に向かった内側突出形態で前記右側ヘッド上がり移動規制部および前記左側ヘッド上がり移動規制部が形成されてなるとともに、前記右側下方外側突出部位と前記左側下方外側突出部位および前記右側下部突出部位と前記左側下部突出部位あるいはいずれか一方が前記立ち下がり部位振れ規制部として機能してなることを特徴とするＴ字型部位を有する物品のホルダー。
【請求項２】
立ち下がり部位内側移動規制部を右側ヘッド載り部および左側ヘッド載り部ないし連絡部に、結束バンド、リング、スプリングあるいは熔接などで連結してなることを特徴とする請求項１記載のＴ字型部位を有する物品のホルダー。
【請求項３】
右側ヘッド載り部と左側ヘッド載り部は内側に向かった下り傾斜形態とされており、これによって、Ｔ字型部位を有する物品は常に内側に滑り重力がかかった状態とされることを特徴とする請求項１、２のいずれか1項に記載のＴ字型部位を有する物品のホルダー。
【請求項４】
腰ベルトに装着される部位が該腰ベルトに装着される他の部材の無いベルト装着手段のみであり、前記ベルト装着手段が前記腰ベルトの内側に位置されて装着するものであることを特徴とする請求項１〜３のいずれか1項に記載のＴ字型部位を有する物品のホルダー。
【請求項５】
物品の立ち下がり部位、この物品の立ち下がり部位の上部あるいは適宜な箇所に設けられた、該物品の立ち下がり部位よりも左右に突出する部位を形成しているヘッドとからなるとともに、前記ヘッドの前側をヘッドの右側突出部位とし後側をヘッドの左側突出部位とした形態のあるいは該形態となる部位を有するＴ字型部位を有する物品のホルダーであって、
腰ベルトに装着する部位であるベルト装着手段と、
このベルト装着手段から外側に突出された部位あるいは該ベルト装着手段の上面からなる連絡部と、
この連絡部から外側に向けて設けられた前記ヘッドの右側突出部位を直接的にあるいは他の部材を介して間接的に載せる右側ヘッド載り部、この右側ヘッド載り部から立ち上がるように設けられた、前記ヘッドの外側に位置して該ヘッドの該外側への動きを規制する右側ヘッド外側移動規制部、この右側ヘッド外側移動規制部から内側に向けて設けられた、前記ヘッドの上方に位置して該ヘッドの上への動きを規制する右側ヘッド上がり移動規制部とからなる右側ヘッド保持部と、
前記連絡部から外側に向けて設けられた前記ヘッドの前記ヘッドの左側突出部位を直接的にあるいは他の部材を介して間接的に載せる左側ヘッド載り部、この左側ヘッド載り部から立ち上がるように設けられた、前記ヘッドの外側に位置して該ヘッドの外側への動きを規制する左側ヘッド外側移動規制部、この左側ヘッド外側移動規制部から内側に向けて設けられた、前記ヘッドの上方に位置して該ヘッドの上への動きを規制する左側ヘッド上がり移動規制部とからなる左側ヘッド保持部と、
前記右側ヘッド保持部と前記左側ヘッド保持部からなるヘッド保持部と、
前記右側ヘッド保持部と前記左側ヘッド保持部の間に形成された、前記ヘッドが前記ヘッド保持部に保持されている状態にあっては前記物品の立ち下がり部位の垂れ下がり状態を形成し且つ該物品の立ち下がり部位を前記右側ヘッド保持部と前記左側ヘッド保持部の間で回動自在とする立ち下がり部位移動空間と、
前記右側ヘッド上がり移動規制部と前記左側ヘッド上がり移動規制部の端部間に形成された、前記物品の立ち下がり部位の出し入れを可能とするための前記物品の立ち下がり部位回動自在空間と連絡した立ち下がり部位出入り口と、
この立ち下がり部位出入り口と連絡し該立ち下がり部位出入り口の下方に形成された、前記ヘッドを前記ヘッド保持部に出し入れするための右側ヘッド出入り開口と、
前記立ち下がり部位出入り口と連絡し該立ち下がり部位出入り口の内側で前記連絡部の上方に形成された、前記ヘッドを出し入れするための左側ヘッド出入り開口と、
前記連絡部の上方で前記ヘッド保持部の内側に形成された、前記立ち下がり部位出入り口、前記右側ヘッド出入り開口および前記左側ヘッド出入り開口に連絡したヘッド出し入れ空間と、
前記右側ヘッド載り部、前記左側ヘッド載り部側ないし前記連絡部側に設けられた、あるいは前記右側ヘッド載り部、左側ヘッド載り部側ないし前記連絡部側に位置された、前記物品の立ち下がり部位ないし前記ヘッドの内側への動きを規制する立ち下がり部位内側移動規制部と、
前記ヘッド保持部の下方に位置された、前記物品の立ち下がり部位を外側に出入り自在とする下立ち下がり部位出入り開口を形成する、前記物品の立ち下がり部位の右側への振れを規制する右側振れ規制部、前記物品の立ち下がり部位の左側への振れを規制する左側振れ規制部とからなる立ち下がり部位振れ規制部とを備えてなるとともに、
その形成形態が一枚の金属板の曲げ加工による形成形態であって、外側に向けて突出形態とされた前記立ち下がり部位振れ規制部の内側を折り上げて前記ベルト装着手段が形成され、このベルト装着手段の上部側を外側に折り曲げて前記連絡部と前記右側ヘッド載り部および前記左側ヘッド載り部が形成され、前記右側ヘッド載り部および前記左側ヘッド載り部を折り上げて前記右側ヘッド外側移動規制部および前記左側ヘッド外側移動規制部が形成され、前記右側ヘッド外側移動規制部および前記左側ヘッド外側移動規制部を内側に折り曲げた内側突出形態で前記右側ヘッド上がり移動規制部および前記左側ヘッド上がり移動規制部が形成されてなることを特徴とするＴ字型部位を有する物品のホルダー。
【請求項６】
腰ベルトに装着される部位が該腰ベルトに装着される他の部材の無いベルト装着手段のみであり、前記ベルト装着手段が前記腰ベルトの内側に位置されて装着するものであることを特徴とする請求項５に記載のＴ字型部位を有する物品のホルダー。
【発明の詳細な説明】
【技術分野】
【０００１】
本発明は、ハンマー、ラチェット、十字型ないしＴ字型のボルト回し具あるいは肉たたきなどの、ヘッドとこのヘッドから立ち下げられた柄などの物品の立ち下がり部位とからなるＴ字型部位を有する物品、このＴ字型部位を有する物品を保持するＴ字型部位を有する物品のホルダーに関する。
【背景技術】
【０００２】
（１）腰ベルトを通し該腰ベルトに装着されるベルト装着部と、このベルト装着部の外側に設けられた、ハンマーのハンマーヘッドを載せるハンマーヘッド受け部と、このハンマーヘッド受け部の下方に位置されたリング形態の、ハンマーの柄（握り）（物品の立ち下がり部位）が上から挿入されて該柄が外側、内側、右側および左側（四方）に振れるのを止める柄振れ止め手段とからなるハンマーホルダーが知られている。（例えば特許文献１）
（２）腰ベルトに装着されるベルト装着部が設けられ、このベルト装着部の外側に、ハンマーの柄（物品の立ち下がり部位）を出し入れする開口部を有するとともにその上部をハンマーのハンマーヘッドを載せるハンマーヘッド受け部としたハンマー保持手段が設けられ、前記開口部に出入りする柄によって外内に開き動作され且つバネ付勢力によって常に閉じ位置に戻るようにされた一対の開閉部材が設けられてなるハンマーホルダーが知られている。（例えば特許文献２）
【先行技術文献】
【特許文献】
【０００３】
【特許文献１】実用第3032845号公報
【特許文献２】実開平６ー83285号公報
【非特許文献】
【０００４】
【非特許文献１】特になし
【発明の概要】
【発明が解決しようとする課題】
【０００５】
特許文献１の発明は、柄の振れは止めることができるがハンマーヘッドを一方の手で摘み持ち、該柄を上方に持ち上げて柄を振れ止め手段から抜き、他方の手にハンマーヘッドを持ち替えて一方の手に柄（握り）を握らなければならないという欠点を有するものであった。
また、ハンマーの落下を防止するための柄の下部にスプリング形態の伸縮吊りワイヤを取り付けての使用では、リング形態の柄振れ止め手段には伸縮吊りワイヤが邪魔で入れられない、いれても伸縮吊りワイヤが引っかかり出し難く操作性が悪いという欠点を有するものであった。
特許文献２の発明は、柄が入っているハンマーヘッド受け部が一対の開閉部が開閉自在とし且つ柄が該開閉部に収納される開閉範囲を確保しなければならないために、ハンマーヘッド受け部が柄よりもそうとうに広径とならざるを得ないものであるために、柄の振れおよびヘッドの動きが激しく大きくなるという欠点を有するものであった。
また、外側に柄が強く押されるないし引かれると開閉部材が開いてハンマーが外れ落下する危険性があるという欠点を有するものであった。
【０００６】
本発明は以上のような従来技術の持つ欠点に鑑みてなされたものであって、その第１の目的は、手で物品の立ち下がり部位（一般的には柄、握り）を握ったらその握りのままホルダーから外すことができるとともに、ホルダーに保持されている状態にあるときは物品の立ち下がり部位の左右振れが小さく抑えられることによって、ヘッドの左右振れも小さく抑えられるＴ字型部位を有する物品のホルダーを提供することにある。
また第２の目的は第１の目的に加えて、物品の立ち下がり部位のどの箇所に落下防止の伸縮吊りワイヤを取り付けても、柄の振れ規制性および着脱操作性に悪影響を与えないＴ字型部位を有する物品のホルダーを提供することにある。
【課題を解決するための手段】
【０００７】
上記目的を達成するために、本発明は次に述べるような構成としている。
＜請求項１記載の発明＞
物品の立ち下がり部位、この物品の立ち下がり部位の上部あるいは適宜な箇所に設けられた、該物品の立ち下がり部位よりも左右に突出する部位を形成しているヘッドとからなるとともに、前記ヘッドの前側をヘッドの右側突出部位とし後側をヘッドの左側突出部位とした形態のあるいは該形態となる部位を有するＴ字型部位を有する物品のホルダーであって、
腰ベルトに装着する部位であるベルト装着手段と、
このベルト装着手段から外側に突出された部位あるいは該ベルト装着手段の上面からなる連絡部と、
この連絡部から外側に向けて設けられた前記ヘッドの右側突出部位を直接的にあるいは他の部材を介して間接的に載せる右側ヘッド載り部、この右側ヘッド載り部から立ち上がるように設けられた、前記ヘッドの外側に位置して該ヘッドの該外側への動きを規制する右側ヘッド外側移動規制部、この右側ヘッド外側移動規制部から内側に向けて設けられた、前記ヘッドの上方に位置して該ヘッドの上への動きを規制する右側ヘッド上がり移動規制部とからなる右側ヘッド保持部と、
前記連絡部から外側に向けて設けられた前記ヘッドの前記ヘッドの左側突出部位を直接的にあるいは他の部材を介して間接的に載せる左側ヘッド載り部、この左側ヘッド載り部から立ち上がるように設けられた、前記ヘッドの外側に位置して該ヘッドの外側への動きを規制する左側ヘッド外側移動規制部、この左側ヘッド外側移動規制部から内側に向けて設けられた、前記ヘッドの上方に位置して該ヘッドの上への動きを規制する左側ヘッド上がり移動規制部とからなる左側ヘッド保持部と、
前記右側ヘッド保持部と前記左側ヘッド保持部からなるヘッド保持部と、
前記右側ヘッド保持部と前記左側ヘッド保持部の間に形成された、前記ヘッドが前記ヘッド保持部に保持されている状態にあっては前記物品の立ち下がり部位の垂れ下がり状態を形成し且つ該物品の立ち下がり部位を前記右側ヘッド保持部と前記左側ヘッド保持部の間で回動自在とする立ち下がり部位移動空間と、
前記右側ヘッド上がり移動規制部と前記左側ヘッド上がり移動規制部の端部間に形成された、前記物品の立ち下がり部位の出し入れを可能とするための前記物品の立ち下がり部位回動自在空間と連絡した立ち下がり部位出入り口と、
この立ち下がり部位出入り口と連絡し該立ち下がり部位出入り口の下方に形成された、前記ヘッドを前記ヘッド保持部に出し入れするための右側ヘッド出入り開口と、
前記立ち下がり部位出入り口と連絡し該立ち下がり部位出入り口の内側で前記連絡部の上方に形成された、前記ヘッドを出し入れするための左側ヘッド出入り開口と、
前記連絡部の上方で前記ヘッド保持部の内側に形成された、前記立ち下がり部位出入り口、前記右側ヘッド出入り開口および前記左側ヘッド出入り開口に連絡したヘッド出し入れ空間と、
前記右側ヘッド載り部、前記左側ヘッド載り部側ないし前記連絡部側に設けられた、あるいは前記右側ヘッド載り部、左側ヘッド載り部側ないし前記連絡部側に位置された、前記物品の立ち下がり部位ないし前記ヘッドの内側への動きを規制する立ち下がり部位内側移動規制部と、
前記ヘッド保持部の下方に位置された、前記物品の立ち下がり部位を外側に出入り自在とする下立ち下がり部位出入り開口を形成する、前記物品の立ち下がり部位の右側への振れを規制する右側振れ規制部、前記物品の立ち下がり部位の左側への振れを規制する左側振れ規制部とからなる立ち下がり部位振れ規制部とを備えてなるとともに、
その形成形態が1本の棒状部材ないし1本の線状部材による形成形態であって、対抗曲げ形態によって前記立ち下がり部位内側移動規制部が形成され、この立ち下がり部位内側移動規制部から外側に向けた突出形態で且つ下方に向けて右側下方外側突出部位および左側下方外側突出部位が形成され、この右側下方外側突出部位および左側下方外側突出部位から内側に向かう形態で右側下部突出部位および左側下部突出部位が形成され、この右側下部突出部位および左側下部突出部位から立ち上がり形態で前記ベルト装着手段が形成され、このベルト装着手段から外側に向かって前記立ち下がり部位内側移動規制部上方を通る外側突出形態で前記右側ヘッド載り部および前記左側ヘッド載り部が形成され、この右側ヘッド載り部および左側ヘッド載り部から上方に立ち上がる形態で前記右側ヘッド外側移動規制部および前記左側ヘッド外側移動規制部が形成され、この右側ヘッド外側移動規制部および左側ヘッド外側移動規制部が内側に向かった内側突出形態で前記右側ヘッド上がり移動規制部および前記左側ヘッド上がり移動規制部が形成されてなるとともに、前記右側下方外側突出部位と前記左側下方外側突出部位および前記右側下部突出部位と前記左側下部突出部位あるいはいずれか一方が前記立ち下がり部位振れ規制部として機能してなることを特徴とするＴ字型部位を有する物品のホルダーである。
＜請求項２記載の発明＞
立ち下がり部位内側移動規制部を右側ヘッド載り部および左側ヘッド載り部ないし連絡部に、結束バンド、リング、スプリングあるいは熔接などで連結してなることを特徴とする請求項１記載のＴ字型部位を有する物品のホルダーである。
＜請求項３記載の発明＞
右側ヘッド載り部と左側ヘッド載り部は内側に向かった下り傾斜形態とされており、これによって、Ｔ字型部位を有する物品は常に内側に滑り重力がかかった状態とされることを特徴とする請求項１、２のいずれか1項に記載のＴ字型部位を有する物品のホルダーである。
＜請求項４記載の発明＞
腰ベルトに装着される部位が該腰ベルトに装着される他の部材の無いベルト装着手段のみであり、前記ベルト装着手段が前記腰ベルトの内側に位置されて装着するものであることを特徴とする請求項１〜３のいずれか1項に記載のＴ字型部位を有する物品のホルダーである。
＜請求項５記載の発明＞
物品の立ち下がり部位、この物品の立ち下がり部位の上部あるいは適宜な箇所に設けられた、該物品の立ち下がり部位よりも左右に突出する部位を形成しているヘッドとからなるとともに、前記ヘッドの前側をヘッドの右側突出部位とし後側をヘッドの左側突出部位とした形態のあるいは該形態となる部位を有するＴ字型部位を有する物品のホルダーであって、
腰ベルトに装着する部位であるベルト装着手段と、
このベルト装着手段から外側に突出された部位あるいは該ベルト装着手段の上面からなる連絡部と、
この連絡部から外側に向けて設けられた前記ヘッドの右側突出部位を直接的にあるいは他の部材を介して間接的に載せる右側ヘッド載り部、この右側ヘッド載り部から立ち上がるように設けられた、前記ヘッドの外側に位置して該ヘッドの該外側への動きを規制する右側ヘッド外側移動規制部、この右側ヘッド外側移動規制部から内側に向けて設けられた、前記ヘッドの上方に位置して該ヘッドの上への動きを規制する右側ヘッド上がり移動規制部とからなる右側ヘッド保持部と、
前記連絡部から外側に向けて設けられた前記ヘッドの前記ヘッドの左側突出部位を直接的にあるいは他の部材を介して間接的に載せる左側ヘッド載り部、この左側ヘッド載り部から立ち上がるように設けられた、前記ヘッドの外側に位置して該ヘッドの外側への動きを規制する左側ヘッド外側移動規制部、この左側ヘッド外側移動規制部から内側に向けて設けられた、前記ヘッドの上方に位置して該ヘッドの上への動きを規制する左側ヘッド上がり移動規制部とからなる左側ヘッド保持部と、
前記右側ヘッド保持部と前記左側ヘッド保持部からなるヘッド保持部と、
前記右側ヘッド保持部と前記左側ヘッド保持部の間に形成された、前記ヘッドが前記ヘッド保持部に保持されている状態にあっては前記物品の立ち下がり部位の垂れ下がり状態を形成し且つ該物品の立ち下がり部位を前記右側ヘッド保持部と前記左側ヘッド保持部の間で回動自在とする立ち下がり部位移動空間と、
前記右側ヘッド上がり移動規制部と前記左側ヘッド上がり移動規制部の端部間に形成された、前記物品の立ち下がり部位の出し入れを可能とするための前記物品の立ち下がり部位回動自在空間と連絡した立ち下がり部位出入り口と、
この立ち下がり部位出入り口と連絡し該立ち下がり部位出入り口の下方に形成された、前記ヘッドを前記ヘッド保持部に出し入れするための右側ヘッド出入り開口と、
前記立ち下がり部位出入り口と連絡し該立ち下がり部位出入り口の内側で前記連絡部の上方に形成された、前記ヘッドを出し入れするための左側ヘッド出入り開口と、
前記連絡部の上方で前記ヘッド保持部の内側に形成された、前記立ち下がり部位出入り口、前記右側ヘッド出入り開口および前記左側ヘッド出入り開口に連絡したヘッド出し入れ空間と、
前記右側ヘッド載り部、前記左側ヘッド載り部側ないし前記連絡部側に設けられた、あるいは前記右側ヘッド載り部、左側ヘッド載り部側ないし前記連絡部側に位置された、前記物品の立ち下がり部位ないし前記ヘッドの内側への動きを規制する立ち下がり部位内側移動規制部と、
前記ヘッド保持部の下方に位置された、前記物品の立ち下がり部位を外側に出入り自在とする下立ち下がり部位出入り開口を形成する、前記物品の立ち下がり部位の右側への振れを規制する右側振れ規制部、前記物品の立ち下がり部位の左側への振れを規制する左側振れ規制部とからなる立ち下がり部位振れ規制部とを備えてなるとともに、
その形成形態が一枚の金属板の曲げ加工による形成形態であって、外側に向けて突出形態とされた前記立ち下がり部位振れ規制部の内側を折り上げて前記ベルト装着手段が形成され、このベルト装着手段の上部側を外側に折り曲げて前記連絡部と前記右側ヘッド載り部および前記左側ヘッド載り部が形成され、前記右側ヘッド載り部および前記左側ヘッド載り部を折り上げて前記右側ヘッド外側移動規制部および前記左側ヘッド外側移動規制部が形成され、前記右側ヘッド外側移動規制部および前記左側ヘッド外側移動規制部を内側に折り曲げた内側突出形態で前記右側ヘッド上がり移動規制部および前記左側ヘッド上がり移動規制部が形成されてなることを特徴とするＴ字型部位を有する物品のホルダーである。
＜請求項６記載の発明＞
腰ベルトに装着される部位が該腰ベルトに装着される他の部材の無いベルト装着手段のみであり、前記ベルト装着手段が前記腰ベルトの内側に位置されて装着するものであることを特徴とする請求項５に記載のＴ字型部位を有する物品のホルダーである。
【発明の効果】
【０００８】
以上の説明から明らかなように、本発明にあっては次に列挙する効果が得られる。
Ｔ字型部位を有する物品を腰バンドに保持するハンマー例で説明する。
保持時にあっては、物品の立ち下がり部位（柄・握り）の上部はヘッド載り部によって左右に移動することが規制されるとともに、その下方は立ち下がり部位振れ規制部によって左右に振れることが規制さているという、上下の二箇所での左右振れ規制形態を実現しているので、物品の立ち下がり部位（柄）が立ち下がり部位振れ規制部内にあるときは物品の立ち下がり部位（柄）は左右に振れることがなく、外側にのみ振れ動作可能にされてなるものでる。
物品の立ち下がり部位（柄）を一方の手で握り持ち、立ち下がり部位出入り開口によってそのまま物品の立ち下がり部位（柄）を外側に移動させて該立ち下がり部位出入り開口から出して回動持ち上げて行き、一方の手のそのままの握りでホルダーから物品の立ち下がり部位（柄）およびヘッドを外に取り出すことができるとともに、ホルダーにセットされ物品の立ち下がり部位（柄）が立ち下がり状態であるときで、物品の立ち下がり部位（柄）が立ち下がり部位振れ規制部内にあるときは、物品の立ち下がり部位（柄）は立ち下がり部位振れ規制部によって左右に振れ動くことが規制されるので、その状態にあるときはヘッドの振れも小さいものに抑えられ、よって、ハンマーの振れが規制されている状態・時間が大幅に長くなるので、より安定したハンマー保持を実現するという効果を奏する。
【図面の簡単な説明】
【０００９】
【図１】他の発明の実施例１の斜視図。
【図２】他の発明の実施例１の使用状態を示す斜視図。
【図３】他の発明の実施例２の斜視図。
【図４】本発明の実施例３の斜視図。
【図５】本発明の実施例３の使用状態を示す側面図およびラチェットの正面図。
【図６】本発明の実施例４の斜視図。
【図７】他の発明の実施例５の斜視図。
【図８】他の発明の実施例５の使用状態を示す斜視図。
【図９】他の発明の実施例６の斜視図。
【図１０】本発明の実施例７の斜視図。
【図１１】本発明の実施例７の側面図。
【図１２】本発明の実施例８の側面図および正面図。
【図１３】本発明の実施例９の斜視図。
【図１４】実施例１０の斜視図。
【図１５】実施例１１の斜視図。
【図１６】本発明の実施例１２の側面図。
【図１７】他の発明の実施例１３の斜視図および使用状態斜視図。
【図１８】他の発明の実施例１４の斜視図および使用状態側面図。
【発明を実施するための形態】
【００１０】
以下、本発明を実施するための形態である実施例を説明する。但し、本発明をそれらに限定する趣旨のものではない。また、後述の実施例の説明において前述の実施例と同じ構成には同じ符号を付しその説明を省略する。
【実施例１】
【００１１】
図１、図２に示す他の発明の実施例１において、１はＴ字型部位を有する物品のホルダーであって、ヘッドの左側突出部位２とヘッドの右側突出部位３、その間の頂部である連絡部位２２とからなるハンマーヘッドであるヘッド２４と、その下部に設けられた柄である物品の立ち下がり部位１２とから構成されるハンマーであるＴ字型部位を有する物品４、このＴ字型部位を有する物品４を着脱自在形態で保持するＴ字型部位を有する物品のホルダー１は次のような構成となっている。
腰ベルト６を、ベルト装着手段本体２３に設けられた上ベルト通し孔７ａ、下ベルト通し孔７ｂのいずれかに通して、該腰ベルト６に装着する部位であるベルト装着手段８と、
このベルト装着手段８から外側に延び立ちあがるような突出形態で設けられた、Ｔ字型部位を有する物品４のベルト装着手段８近接側をヘッドの左側突出部位２が載り支持される左側ヘッド載り部位９とし、かつ、左側ヘッド載り部位９に連絡して立ち上がった部位を該左側ヘッド載り部位９にヘッドの左側突出部位２を案内するとともに、ヘッド２４が外側に移動するのを規制する左側ヘッド外側移動規制部１０としてなる左側案内支持部１１と、
ベルト装着手段８から外側に延び立ちあがるような突出形態で設けられた、ベルト装着手段８近接側をＴ字型部位を有する物品４のヘッドの右側突出部位３が載り支持される右側ヘッド載り部位１３とし、かつ、右側ヘッド載り部位１３に連絡して立ち上がった部位を該右側ヘッド載り部位１３にヘッドの右側突出部位３を案内するとともに、ヘッド２４が外側に移動するのを規制する右側ヘッド外側移動規制部１４としてなる右側案内支持部１５と、
左側ヘッド外側移動規制部１０、右側ヘッド外側移動規制部１４とからなるヘッド外側移動規制部４８と、
左側ヘッド載り部位９、右側ヘッド載り部位１３、左側ヘッド外側移動規制部１０、右側ヘッド外側移動規制部１４とからなるヘッド保持部４９と、
左側案内支持部１１と右側案内支持部１５の間に形成された、左側案内支持部１１と右側案内支持部１５の上方端方を物品の立ち下がり部位１２が出入り自在としている立ち下がり部位出入り口１６とし、かつ、物品の立ち下がり部位１２を立ち下がり部位出入り口１６から左側ヘッド載り部位９および右側ヘッド載り部位１３までを出入りおよび回動移動を自在としている立ち下がり部位移動空間１７と、
左側ヘッド載り部位９および右側ヘッド載り部位１３の上方に設けられた、連絡部位２２が上り移動しようとした場合にその上がり移動を規制する、外側に突出下向き傾斜形態とされたヘッド上がり移動規制部１８と、
このヘッド上がり移動規制部１８と左側案内支持部１１および右側案内支持部１５の間に形成された、ヘッド２４の出入りを自在としているヘッド出入り開口１９と、
ベルト装着手段８に取り付けられて外側に突出するようにヘッド保持部４９（左側ヘッド載り部位９、右側ヘッド載り部位１３）の下方に位置された、Ｔ字型部位を有する物品４の物品の立ち下がり部位１２（柄）を外側に出入り自在とする立ち下がり部位出入り開口５０、物品の立ち下がり部位１２の右側への振れを規制する右側振れ規制部５１、物品の立ち下がり部位１２の左側への振れを規制する左側振れ規制部５２とからなる立ち下がり部位振れ規制部５３とを備えてなる構成である。
【００１２】
左側ヘッド外側移動規制部１３および右側ヘッド外側移動規制部１４が全体として弧形態ないし湾曲形態であり、かつ、左側案内支持部１１および右側案内支持部１５の端方がヘッド上がり移動規制部１８の外側端部より高い位置形態とされ、かつ、外側部位の真上から外側に５ｍｍ〜１０ｍｍほど外側に位置する位置形態となっている。しかるに、左側案内支持部１１および右側案内支持部１５の端方の位置は高さ位置とともに外側部位の略真上に位置する形態、該真上の内側である該ヘッド上がり移動規制部１８に被さる形態とするのもよい。
左側ヘッド外側移動規制部１３および右側ヘッド外側移動規制部１４が、ヘッド２４が左側ヘッド載り部位９および右側ヘッド載り部位１３に滑り移動して自動的に（自然に）位置するように、内側に向かって下り傾斜部位を形成している。
左側案内支持部１１、右側案内支持部１５および移動規制部１８からなるホルダー部分は、一本の針金部材（線状部材）ないし金属製棒部材を折り曲げて形成してなるものであり、左側ヘッド載り部位９および右側ヘッド載り部位１３と移動規制部１８を連絡する連絡部位２０、２１を金属製のベルト装着手段８に熔接（ピン止め、ネジ止めなどでもよい）によって取付固定されている。
【００１３】
立ち下がり部位振れ規制部５３は板状部材によって形成されている。素材は、金属製部材、ゴム製部材、合成樹脂製部材、木製・竹製部材などである。
【００１４】
立ち下がり部位振れ規制部が、該立ち下がり部位振れ規制部に押し入れられる物品の立ち下がり部位によって広げられて該物品の立ち下がり部位を縮小しようとする付勢力によって付勢挟持する付勢挟持形態とすることにより、立ち下がり部位振れ規制部の付勢力に抗して該立ち下がり部位振れ規制部に物品の立ち下がり部位を強制的に出し入れする構成としたものであるので、立ち下がり部位振れ規制部内にある物品の立ち下がり部位はその付勢力による付勢挟持状態によって、物品の立ち下がり部位の立ち下がり部位振れ規制部内に保持されている機会が多くなり、かつ、立ち下がり部位振れ規制部内にあるときは左右への振れは完全に抑えられているので、物品の立ち下がり部位およびヘッドの振れ機会を少なくできるという効果を奏する。
【００１５】
立ち下がり部位振れ規制部に、該立ち下がり部位振れ規制部に押し入れられる物品の立ち下がり部位によって押しのけられて、回転しながら該物品の立ち下がり部位を内側に通す回転体を設けてなる構成とすることにより、立ち下がり部位振れ規制部に設けた回転体が、手によって内側に押し操作される物品の立ち下がり部位によって押しのけられ、かつ、その際に回転して物品の立ち下がり部位を通し立ち下がり触れ止め手段内に位置させるものであるので、例えば、腰ベルトに下げたハンマーでは、身体の動きで外側に振れる物品の立ち下がり部位は回転体に当って外に出るのが規制されることが多くなり、よって、物品の立ち下がり部位の立ち下がり部位振れ規制部内に保持されている機会を多くなるとともに、物品の立ち下がり部位の立ち下がり部位振れ規制部の出し入れでは回転体が回転するので、その出し入れが抵抗少なく行えるという効果を奏する。
しかるに、回転体による出し入れ抵抗の減少があるので、その分、物品の立ち下がり部位による回転体の押しのけられ付勢力ないし物品の立ち下がり部位の押しのけられ付勢力を強いものにできるので、立ち下がり部位振れ規制部内にある物品の立ち下がり部位が外れ出る機会をより少なくできるという効果を奏する。
回転体は球体のものがよい。
【実施例２】
【００１６】
図３に示す他の発明の実施例２において、前記実施例１と主に異なる点は、立ち下がり部位振れ規制部を１本のスプリング線材（スプリング板材でもよい）によって形成した、物品の立ち下がり部位１２が当り押し広げるくびれ部５４ａ、５４ｂを有する立ち下がり部位振れ規制部５５としたＴ字型部位を有する物品のホルダー５６を形成している。
例えば、腰ベルトに下げたハンマーでは、身体の動きで外側に振れる物品の立ち下がり部位１２は回転体にくびれ部５４ａ、５４ｂ当って外側に振れ外に出るのが規制されることが多くなり、よって、物品の立ち下がり部位１２の立ち下がり部位振れ規制部５５内に保持されている機会を多くするとともに、立ち下がり部位振れ規制部５５内にあるときは左右への振れは完全に抑えられているので、物品の立ち下がり部位１２およびヘッド２４の振れ機会を少なくできる。
【実施例３】
【００１７】
図４、図５に示す本発明の実施例３において、６０はＴ字型部位を有する物品のホルダーであって、Ｔ字型部位を有する物品のホルダー６０は次のような構成となっている。
Ｔ字型部位を有する物品は、物品の立ち下がり部位６１、この物品の立ち下がり部位６１の上部に設けられた、該物品の立ち下がり部位６１よりも左右に突出する部位を形成しているヘッド６２とからなるとともに、前記ヘッド６２の前側をヘッドの右側突出部位６３とし後側をヘッドの左側突出部位６４とした形態のあるいは該形態となる部位を有するＴ字型部位を有する物品５９（ここではラチェットで表現）であって、
腰ベルト（図示せず省略）に装着する部位であるベルト装着手段６５と、
このベルト装着手段６５から外側に突出された部位あるいは該ベルト装着手段６５の上面からなる連絡部６６と、
この連絡部６６から外側に向けて設けられた前記ヘッドの右側突出部位６３を直接的にあるいは他の部材を介して間接的に載せる（ここでは直接的）右側ヘッド載り部６７ａ、この右側ヘッド載り部６７ａから立ち上がるように設けられた、前記ヘッド６２の外側に位置して該ヘッド６２の該外側への動きを規制する右側ヘッド外側移動規制部６８ａ、この右側ヘッド外側移動規制部６８ａから内側に向けて設けられた、前記ヘッド６２の上方に位置して該ヘッド６２の上への動きを規制する右側ヘッド上がり移動規制部６９ａとからなる右側ヘッド保持部７０ａと、
前記連絡部６６から外側に向けて設けられた前記ヘッド６２の前記ヘッドの左側突出部位６４を直接的にあるいは他の部材を介して間接的に載せる（ここでは直接的）左側ヘッド載り部６７ｂ、この左側ヘッド載り部６７ｂから立ち上がるように設けられた、前記ヘッド６２の外側に位置して該ヘッド６２の外側への動きを規制する左側ヘッド外側移動規制部６８ｂ、この左側ヘッド外側移動規制部６８ｂから内側に向けて設けられた、前記ヘッド６２の上方に位置して該ヘッド６２の上への動きを規制する左側ヘッド上がり移動規制部６９ｂとからなる左側ヘッド保持部７０ｂと、
前記右側ヘッド保持部７０ａと前記左側ヘッド保持部７０ｂとからなるヘッド保持部７０と、
前記右側ヘッド保持部７０ａと前記左側ヘッド保持部７０ｂの間に形成された、前記ヘッド６２が前記ヘッド保持部７０に保持されている状態にあっては前記物品の立ち下がり部位６１の垂れ下がり状態を形成し且つ該物品の立ち下がり部位６１を前記右側ヘッド保持部７０ａと前記左側ヘッド保持部７０ｂの間で回動自在とする立ち下がり部位移動空間７１と、
前記右側ヘッド上がり移動規制部６９ａと前記左側ヘッド上がり移動規制部６９ｂの端部間に形成された、前記物品の立ち下がり部位６１の出し入れを可能とするための前記立ち下がり部位移動空間７１と連絡した立ち下がり部位出入り口７２と、
この立ち下がり部位出入り口７２と連絡し該立ち下がり部位出入り口７２の下方に形成された、前記ヘッド６２を前記ヘッド保持部７０に出し入れするための右側ヘッド出入り開口７３ａと、
前記立ち下がり部位出入り口７２と連絡し該立ち下がり部位出入り口７２の内側で前記連絡部６６の上方に形成された、前記ヘッド６２を出し入れするための左側ヘッド出入り開口７３ｂと、
前記連絡部６６の上方で前記ヘッド保持部７０の内側に形成された、前記立ち下がり部位出入り口７２、前記右側ヘッド出入り開口７３ａおよび前記左側ヘッド出入り開口７３ｂに連絡したヘッド出し入れ空間７４と、
前記右側ヘッド載り部６７ａ、前記左側ヘッド載り部６７ｂ側ないし前記連絡部６６側に設けられた、あるいは前記右側ヘッド載り部６７ａ、左側ヘッド載り部６７ｂ側ないし前記連絡部６６側に位置された、前記物品の立ち下がり部位６１の内側への動きを規制する立ち下がり部位内側移動規制部７５と、
前記ヘッド保持部７０の下方に位置された、前記物品の立ち下がり部位６１を外側に出入り自在とする下立ち下がり部位出入り開口７６を形成する、前記物品の立ち下がり部位６１の右側への振れを規制する右側振れ規制部７７ａ、前記物品の立ち下がり部位６１の左側への振れを規制する左側振れ規制部７７ｂとからなる立ち下がり部位振れ規制部７７とを備えてなるとともに、
その形成形態が1本の棒状部材ないし1本の線状部材による形成形態であって、対抗曲げ形態によって前記立ち下がり部位内側移動規制部７５が形成され、この立ち下がり部位内側移動規制部７５から外側に向けた前記対抗曲げ形態による突出形態で且つ下方に向けて右側下方外側突出部位７７ａ−Ｙおよび左側下方外側突出部位７７ｂ−Ｙが形成され、この右側下方外側突出部位７７ａ−Ｙおよび左側下方外側突出部位７７ｂ−Ｙから内側に向かう形態で右側下部突出部位７７ａ−Ｘおよび左側下部突出部位７７ｂ−Ｘが形成され、この右側下部突出部位７７ａ−Ｘおよび左側下部突出部位７７ｂ−Ｘから立ち上がり形態で前記ベルト装着手段６５が形成され、このベルト装着手段６５から外側に向かって前記立ち下がり部位内側移動規制部７５上方を通る外側突出形態で前記右側ヘッド載り部６７ａおよび左側ヘッド載り部６７ｂが形成され、この右側ヘッド載り部６７ａおよび左側ヘッド載り部６７ｂから上方に立ち上がる形態で前記右側ヘッド外側移動規制部６８ａおよび左側ヘッド外側移動規制部６８ｂが形成され、この右側ヘッド外側移動規制部６８ａおよび左側ヘッド外側移動規制部６８ｂが内側に向かった内側突出形態で前記右側ヘッド上がり移動規制部６９ａおよび左側ヘッド上がり移動規制部６９ｂが形成されてなるとともに、前記右側下方外側突出部位７７ａ−Ｙと左側下方外側突出部位７７ｂ−Ｙおよび前記右側下部突出部位７７ａ−Ｘと左側下部突出部位７７ｂ−Ｘあるいはいずれか一方が立ち下がり部位振れ規制部７７として機能することを特徴としている。
右側下方外側突出部位７７ａ−Ｙと左側下方外側突出部位７７ｂ−Ｙとで下方外側突出部位を形成している。
右側下部突出部位７７ａ−Ｘと左側下部突出部位７７ｂ−Ｘとで下部突出部位を形成している。
右側ヘッド載り部６７ａと左側ヘッド載り部６７ｂでヘッド載り部を形成している。
右側ヘッド外側移動規制部６８ａと左側ヘッド外側移動規制部６８ｂとでヘッド外側移動規制部を形成している。
右側ヘッド上がり移動規制部６９ａと左側ヘッド上がり移動規制部６９ｂとでヘッド上がり移動規制部を形成している。
右側ヘッド載り部６７ａと左側ヘッド載り部６７ｂは内側に向かった下り傾斜形態とされており、これによって、Ｔ字型部位を有する物品５９は常に内側に滑り重力がかかった状態とされた外側に振れがたい形態とされている。
【００１８】
ベルト装着手段６５の内側にはベルトを通すベルト通し孔７８を有するベルト装着手段７９が熔接によって固定されている。
図１０に示すような腰への負担を軽減し装着感を良いものにするための幅広でクッション製のある補助ベルト１００の外側に該補助ベルト１００とは別体である腰ベルト１０１が装着されているものでの使用が可能である。
すなわち、ベルト装着手段６５、７９を補助ベルト１００と腰ベルト１０１の間に位置させた装着使用が可能であり、また、ベルト装着手段７９のベルト通し孔７８に腰ベルト１０１を通しての装着使用も可能である。
よって、ベルト装着手段７９を設けないベルト装着手段６５のみの形態とするのもよく、それは補助ベルト付き腰ベルト専用とはなるが安価なものにできる。
立ち下がり部位内側移動規制部７５は右側ヘッド載り部６７ａおよび左側ヘッド載り部６７ｂに当接ないし近接位置形態としている。しかるに、立ち下がり部位内側移動規制部７５を右側ヘッド載り部６７ａおよび左側ヘッド載り部６７ｂから５ｍｍ〜２０ｍｍ程度下方に位置させた離し形態とするのがよい。離し形態とすることにより、物品の立ち下がり部位６１の内側への振れを規制する物品の立ち下がり部位内側振れ規制部として機能させることが可能である。
【００１９】
Ｔ字型部位を有する物品のホルダー６０の技術的思想は以下のようである。
すなわち、
物品の立ち下がり部位、この物品の立ち下がり部位の上部あるいは適宜な箇所に設けられた、該物品の立ち下がり部位よりも左右に突出する部位を形成しているヘッドとからなるとともに、前記ヘッドの前側をヘッドの右側突出部位とし後側をヘッドの左側突出部位とした形態のあるいは該形態となる部位を有するＴ字型部位を有する物品のホルダーであって、
腰ベルトに装着する部位であるベルト装着手段と、
このベルト装着手段から外側に突出された部位あるいは該ベルト装着手段の上面からなる連絡部と、
この連絡部から外側に向けて設けられた前記ヘッドの右側突出部位を直接的にあるいは他の部材を介して間接的に載せる右側ヘッド載り部、この右側ヘッド載り部から立ち上がるように設けられた、前記ヘッドの外側に位置して該ヘッドの該外側への動きを規制する右側ヘッド外側移動規制部、この右側ヘッド外側移動規制部から内側に向けて設けられた、前記ヘッドの上方に位置して該ヘッドの上への動きを規制する右側ヘッド上がり移動規制部とからなる右側ヘッド保持部と、
前記連絡部から外側に向けて設けられた前記ヘッドの前記ヘッドの左側突出部位を直接的にあるいは他の部材を介して間接的に載せる左側ヘッド載り部、この左側ヘッド載り部から立ち上がるように設けられた、前記ヘッドの外側に位置して該ヘッドの外側への動きを規制する左側ヘッド外側移動規制部、この左側ヘッド外側移動規制部から内側に向けて設けられた、前記ヘッドの上方に位置して該ヘッドの上への動きを規制する左側ヘッド上がり移動規制部とからなる左側ヘッド保持部と、
前記右側ヘッド保持部と前記左側ヘッド保持部からなるヘッド保持部と、
前記右側ヘッド保持部と前記左側ヘッド保持部の間に形成された、前記ヘッドが前記ヘッド保持部に保持されている状態にあっては前記物品の立ち下がり部位の垂れ下がり状態を形成し且つ該物品の立ち下がり部位を前記右側ヘッド保持部と前記左側ヘッド保持部の間で回動自在とする立ち下がり部位移動空間と、
前記右側ヘッド上がり移動規制部と前記左側ヘッド上がり移動規制部の端部間に形成された、前記物品の立ち下がり部位の出し入れを可能とするための前記物品の立ち下がり部位回動自在空間と連絡した立ち下がり部位出入り口と、
この立ち下がり部位出入り口と連絡し該立ち下がり部位出入り口の下方に形成された、前記ヘッドを前記ヘッド保持部に出し入れするための右側ヘッド出入り開口と、
前記立ち下がり部位出入り口と連絡し該立ち下がり部位出入り口の内側で前記連絡部の上方に形成された、前記ヘッドを出し入れするための左側ヘッド出入り開口と、
前記連絡部の上方で前記ヘッド保持部の内側に形成された、前記立ち下がり部位出入り口、前記右側ヘッド出入り開口および前記左側ヘッド出入り開口に連絡したヘッド出し入れ空間と、
前記右側ヘッド載り部、前記左側ヘッド載り部側ないし前記連絡部側に設けられた、あるいは前記右側ヘッド載り部、左側ヘッド載り部側ないし前記連絡部側に位置された、前記物品の立ち下がり部位ないし前記ヘッドの内側への動きを規制する立ち下がり部位内側移動規制部と、
前記ヘッド保持部の下方に位置された、前記物品の立ち下がり部位を外側に出入り自在とする下立ち下がり部位出入り開口を形成する、前記物品の立ち下がり部位の右側への振れを規制する右側振れ規制部、前記物品の立ち下がり部位の左側への振れを規制する左側振れ規制部とからなる立ち下がり部位振れ規制部とを備えてなるとともに、
その形成形態が1本の棒状部材ないし1本の線状部材による形成形態であって、対抗曲げ形態によって前記立ち下がり部位内側移動規制部が形成され、この立ち下がり部位内側移動規制部から外側に向けた突出形態（対抗曲げ形態）で且つ下方に向けて右側下方外側突出部位および左側下方外側突出部位が形成され、この右側下方外側突出部位および左側下方外側突出部位から内側に向かう形態で右側下部突出部位および左側下部突出部位が形成され、この右側下部突出部位および左側下部突出部位から立ち上がり形態で前記ベルト装着手段が形成され、このベルト装着手段から外側に向かって前記立ち下がり部位内側移動規制部上方を通る外側突出形態で前記右側ヘッド載り部および左側ヘッド載り部が形成され、この右側ヘッド載り部および左側ヘッド載り部から上方に立ち上がる形態で前記右側ヘッド外側移動規制部および左側ヘッド外側移動規制部が形成され、この右側ヘッド外側移動規制部および左側ヘッド外側移動規制部が内側に向かった内側突出形態で前記右側ヘッド上がり移動規制部および左側ヘッド上がり移動規制部が形成されてなるとともに、前記右側下方外側突出部位と左側下方外側突出部位および前記右側下部突出部位と左側下部突出部位あるいはいずれか一方が立ち下がり部位振れ規制部として機能し、
右側下方外側突出部位と左側下方外側突出部位とで下方外側突出部位を形成し、
右側下部突出部位と左側下部突出部位とで下部突出部位を形成し、
右側ヘッド載り部と左側ヘッド載り部でヘッド載り部を形成し、
右側ヘッド外側移動規制部と左側ヘッド外側移動規制部とでヘッド外側移動規制部を形成し、
右側ヘッド上がり移動規制部と左側ヘッド上がり移動規制部とでヘッド上がり移動規制部を形成してなることを特徴とするＴ字型部位を有する物品のホルダーである。
【実施例４】
【００２０】
図６に示す本発明の実施例４において前記実施例３と主に異なる点は、一枚の金属板を抜き曲げ加工（板金加工成形による形成形態）によって、物品の立ち下がり部位６１の内側への振れを規制する内側振れ規制部８２を有してなるＴ字型部位を有する物品のホルダー８３を形成した点にある。
よって、符号は実施例３のものと同様の機能を果たす部位には同様の符号を付し、その設営を省略する。
【実施例５】
【００２１】
図７、図８に示す他の発明の実施例５において前記実施例３と主に異なる点は、1本の棒状部材ないし1本の線状部材の対抗曲げ形態によって前記立ち下がり部位内側移動規制部７５が形成され、この立ち下がり部位内側移動規制部７５を内側に延長して延長部８５が形成され、この延長部８５を上方に立ち上げ延長し且つＵ字に曲げ下げてベルト装着手段６５を形成し、このベルト装着手段６５を外側に向けて突出させて連絡部６６を形成し、この連絡部６６をさらに外側延長させて右側ヘッド載り部６７ａおよび左側ヘッド載り部６７ｂを形成し、この右側ヘッド載り部６７ａおよび左側ヘッド載り部６７ｂから上方に立ち上がる形態で前記右側ヘッド外側移動規制部６８ａおよび左側ヘッド外側移動規制部６８ｂを形成し、この右側ヘッド外側移動規制部６８ａおよび左側ヘッド外側移動規制部６８ｂが内側に向かった内側突出形態で前記右側ヘッド上がり移動規制部６９ａおよび左側ヘッド上がり移動規制部６９ｂを形成してなる上部材８６を形成した点にある。
よって、上部材８６は実施例２のものの右側下方外側突出部位７７ａ−Ｙ、左側下方外側突出部位７７ｂ−Ｙ、右側下部突出部位７７ａ−Ｘおよび左側下部突出部位７７ｂ−Ｘが無い形態である。
金属製板部材で形成した立ち上が板８７と、この立ち上がり板８７の下半分の両側を外側に対抗形態に折り曲げて突出形態とした右側振れ規制部７７ａと左側振れ規制部７７ｂを形成してなるプレート体８８を形成している。
プレート体８８の立ち上がり板８７の外側面に上部材８６をそのベルト装着手段６５を熔接によって固定してＴ字型部位を有する物品のホルダー８９を形成している。
【実施例６】
【００２２】
図９に示す他の発明の実施例６において前記実施例３主に異なる点は、1本の棒状部材ないし1本の線状部材の対抗曲げ形態によって形成起点部９１が形成され、この形成起点部９１から立ち上げた部位によって立ち上がり部９２が形成され、この立ち上がり部９２を外側に向けて突出させて連絡部６６を形成し、この連絡部６６をさらに外側に延長させて右側ヘッド載り部６７ａおよび左側ヘッド載り部６７ｂを形成し、この右側ヘッド載り部６７ａおよび左側ヘッド載り部６７ｂから上方に立ち上がる形態で前記右側ヘッド外側移動規制部６８ａおよび左側ヘッド外側移動規制部６８ｂを形成し、この右側ヘッド外側移動規制部６８ａおよび左側ヘッド外側移動規制部６８ｂが内側に向かった内側突出形態で前記右側ヘッド上がり移動規制部６９ａおよび左側ヘッド上がり移動規制部６９ｂを形成してなる上部材９３を形成した点にある。
よって、上部材９３は実施例２のものの右側下方外側突出部位７７ａ−Ｙ、左側下方外側突出部位７７ｂ−Ｙ、右側下部突出部位７７ａ−Ｘ、左側下部突出部位７７ｂ−Ｘおよび立ち下がり部位内側移動規制部７５が無い形態である。
金属製板部材で逆Ｕ字形態に形成し且つ上部面の略半分を外側方向に開口して、内側に残った上部面を連絡部６６と、この連絡部６６の外側縁を立ち下がり部位内側移動規制部７５とし、右側と左側に立ち下がった部位を右側振れ規制部７７ａと左側振れ規制部７７ｂとしてなるプレート体９４形成している。
立ち上がり部９２をベルト装着手段７９の内側面に熔接して上部材９３を固定し、プレート体９４を上部材９３に被せ数カ所をポイント熔接して一体化してＴ字型部位を有する物品のホルダー９５を形成している。
形成起点部９１を外側に延長してベルト装着手段７９から外側に離れた位置とすることによって、Ｔ字型部位を有する物品の物品の立ち下がり部位の内側への振れを規制する内側振れ規制部として機能させることもよい。
【実施例７】
【００２３】
図１０、図１１に示す本発明の実施例７において前記実施例３と主に異なる点は、ベルト装着手段７９を設けない形態であるＴ字型部位を有する物品のホルダー９７を形成した点にある。
ベルト装着手段６５を補助ベルト１００と腰ベルト１０１の間に挟む使用形態での使用となる。
立ち下がり部位内側移動規制部７５とヘッド保持部７０ないし連絡部６６は結束バンド、リング、スプリングあるいは熔接などで連結するのが、右側ヘッド保持部７０ａ、左側ヘッド保持部７０ｂの間隔広がりの阻止、全体構造の強化という点から好ましい。
【実施例８】
【００２４】
図１２に示す本発明の実施例８において前記実施例６と主に異なる点は、立ち下がり部位内側移動規制部７５、右側ヘッド外側移動規制部６８ａ、左側ヘッド外側移動規制部６８ｂ、右側下方外側突出部位７７ａ−Ｙ、左側下方外側突出部位７７ｂ−Ｙを湾曲曲げ形態とし点にある。
【実施例９】
【００２５】
図１３に示す本発明の実施例９において前記実施例６と主に異なる点は、立ち下がり部位内側移動規制部７５から外側に突出形態とした右側延長部９８ａおよび左側延長部９８ｂを形成し、この側延長部９８ａおよび左側延長部９８ｂを下方に曲げ立ち下げ形態として右側下方外側突出部位７７ａ−Ｙおよび左側下方外側突出部位７７ｂ−Ｙを形成した形態のＴ字型部位を有する物品のホルダー９９を形成した点にある。
右側延長部９８ａおよび左側延長部９８ｂは右側ヘッド載り部６７ａおよび左側ヘッド載り部６７ｂの下に近接ないし当接して位置し、両者を結束バンド、鋼線あるいは熔接などで連結するのがよい。
【実施例１０】
【００２６】
図１４に示す他の発明の実施例１０において１０５はＴ字型部位を有する物品のホルダーであって、このＴ字型部位を有する物品のホルダー１０５は次に述べるような構成となっている。
一枚の金属板を抜き形成および折曲形成（板金加工）して、下立ち下がり部位出入り開口７６を形成している右側下部突出部位７７ａ−Ｘと左側下部突出部位７７ｂ−Ｘとからなる立ち下がり部位振れ規制部７７が最下部に形成され、右側下部突出部位７７ａ−Ｘおよび左側下部突出部位７７ｂ−Ｘから立ち上げられる形態でベルト装着手段６５が形成され、このベルト装着手段６５から外側に略水平ないし斜め上向き傾斜で右側ヘッド載り部６７ａおよび左側ヘッド載り部６７ｂが外側突出形態で形成され、右側ヘッド載り部６７ａおよび左側ヘッド載り部６７ｂから立ち上げ形態とした右側ヘッド外側移動規制部６８ａおよび６左側ヘッド外側移動規制部６８ｂが形成され、右側ヘッド外側移動規制部６８ａおよび６左側ヘッド外側移動規制部６８ｂの間には立ち下がり部位出入り口７２が形成され、右側ヘッド載り部６７ａ、左側ヘッド載り部６７ｂ、右側ヘッド外側移動規制部６８ａ、左側ヘッド外側移動規制部６８ｂとでヘッド保持部７０を形成し、右側ヘッド載り部６７ａおよび左側ヘッド載り部６７ｂの間でベルト装着手段６５から立ち上げ形態にヘッド２４の内側への移動を規制するヘッド内側規制手段１０３が形成され、このヘッド内側規制種団１０３から外側に突出形態でヘッド２４の該ヘッド内側規制種団１０３への当接上方移動を規制するヘッド上方移動規制部１０４を形成した構成である。
棒部材、線状部材でこのような形態とするのもよい。
また、ヘッド内側規制種団１０３とヘッド上方移動規制部１０４の無い形態とするのもよい。
【実施例１１】
【００２７】
図１５に示す他の発明の実施例１１において１０７はＴ字型部位を有する物品のホルダーであって、このＴ字型部位を有する物品のホルダー１０７は次に述べるような構成となっている。
1本の棒状部材ないし1本の線状部材の対抗曲げ形態によって形成起点部９１が形成され、この形成起点部９１から外側に突出させかつ内側に向けて折り曲げ形態で右側下部突出部位７７ａ−Ｘと左側下部突出部位７７ｂ−Ｘが形成され、右側下部突出部位７７ａ−Ｘおよび左側下部突出部位７７ｂ−Ｘから立ち上げられる形態でベルト装着手段６５が形成され、このベルト装着手段６５から外側に略水平で右側ヘッド載り部６７ａおよび左側ヘッド載り部６７ｂが外側突出形態で形成され、右側ヘッド載り部６７ａおよび左側ヘッド載り部６７ｂから立ち上げ形態とした右側ヘッド外側移動規制部６８ａおよび６左側ヘッド外側移動規制部６８ｂが形成された構成である。
右側ヘッド外側移動規制部６８ａおよび６左側ヘッド外側移動規制部６８ｂの上部を内側に水平程度に曲げて、図１３のような右側ヘッド上がり移動規制部６９ａおよび左側ヘッド上がり移動規制部６９ｂを形成するのもよい。
右側ヘッド載り部６７ａおよび左側ヘッド載り部６７ｂをもっと外側に延長した形態とし、図１３のような右側ヘッド上がり移動規制部６９ａおよび左側ヘッド上がり移動規制部６９ｂを形成するのもよい。この場合、右側下部突出部位７７ａ−Ｘと左側下部突出部位７７ｂ−Ｘを外側に延長した形態とするのがよい。
【実施例１２】
【００２８】
図１６に示す本発明の実施例１２において前記実施例７（図１０、図１１）と主に異なる点は、立ち下がり部位内側移動規制部７５を右側ヘッド載り部６７ａおよび左側ヘッド載り部６７ｂから下方に５ｍｍ〜２０ｍｍ程離れた位置とし、そこから外側斜め上方に向けて延ばし形態とし、そこから下方外側斜めに延ばし形態とし、そこから下方内側斜めに延ばし形態とした右側下方外側突出部位７７ａ−Ｙおよび左側下方外側突出部位７７ｂ−Ｙを形成し、この右側下方外側突出部位７７ａ−Ｙおよび左側下方外側突出部位７７ｂ−Ｙを内側に延ばし形態とした右側下部突出部位７７ａ−Ｘおよび左側下部突出部位７７ｂ−Ｘを形成してなるＴ字型部位を有する物品のホルダー９６を形成した点にある。
立ち下がり部位内側移動規制部７５側と立ち下がり部位内側移動規制部７５を右側ヘッド載り部６７ａおよび左側ヘッド載り部６７ｂは、結束バンド１０２、１０２で連結している。
【実施例１３】
【００２９】
図１７に示す他の発明の実施例１３において、前記実施例１と主に異なる点は、ヘッド保持部４９のみとして、内側立ち上がり部位であるベルト装着手段６５を補助ベルト１００と腰ベルト１０１の間に挟持装着形態で使用可能としたものである。
【実施例１４】
【００３０】
図１８に示す他の発明の実施例１４において前記実施例１３と主に異なる点は、折部分の曲げ方を緩やかな湾曲とせず、折曲形態として棒状部位は真っ直ぐ形態としたものである。
【００３１】
＜付記１記載の発明の効果＞
ハンマー、ラチェット、十字型ないしＴ字型のボルト回し具あるいは肉たたきなどの、ヘッドとこのヘッドから立ち下げられた物品の立ち下がり部位とからなるＴ字型部位を有する物品を保持するホルダーであって、
前記物品の立ち下がり部位を外側回動自在としている立ち下がり部位移動空間、この立ち下がり部位移動空間を形成している前記ヘッドが載り保持されるヘッド載り部、このヘッド載り部の外側に立ち上げられた、前記立ち下がり部位移動空間を形成し且つ前記ヘッドが外側に移動するのを規制するヘッド外側移動規制部とからなるヘッド保持部と、
このヘッド保持部の下方に位置された、前記物品の立ち下がり部位を外側に出入り自在とする立ち下がり部位出入り開口を形成している、前記物品の立ち下がり部位の右側への振れを規制する右側振れ規制部、前記物品の立ち下がり部位の左側への振れを規制する左側振れ規制部とからなる立ち下がり部位振れ規制部とを備えてなることを特徴とするＴ字型部位を有する物品のホルダーであるので、次に述べるような効果を奏する。
すなわち、
前記物品の立ち下がり部位を外側回動自在としている立ち下がり部位移動空間、この立ち下がり部位移動空間を形成している前記ヘッドが載り保持されるヘッド載り部、このヘッド載り部の外側に立ち上げられた、前記立ち下がり部位移動空間を形成し且つ前記ヘッドが外側に移動するのを規制するヘッド外側移動規制部とからなるヘッド保持部と、このヘッド保持部の下方に位置された、前記物品の立ち下がり部位を外側に出入り自在とする立ち下がり部位出入り開口を形成している、前記物品の立ち下がり部位の右側への振れを規制する右側振れ規制部、前記物品の立ち下がり部位の左側への振れを規制する左側振れ規制部とからなる立ち下がり部位振れ規制部とを備えてなる構成としたので、
Ｔ字型部位を有する物品を腰バンドに保持するハンマー例で説明する。
保持時にあっては、物品の立ち下がり部位（柄・握り）の上部はヘッド載り部によって左右に移動することが規制されるとともに、その下方は立ち下がり部位振れ規制部によって左右に振れることが規制さているという、上下の二箇所での左右振れ規制形態を実現しているので、物品の立ち下がり部位（柄）が立ち下がり部位振れ規制部内にあるときは物品の立ち下がり部位（柄）は左右に振れることがなく、外側にのみ振れ動作可能にされてなるものでる。
物品の立ち下がり部位（柄）を一方の手で握り持ち、立ち下がり部位出入り開口によってそのまま物品の立ち下がり部位（柄）を外側に移動させて該立ち下がり部位出入り開口から出して回動持ち上げて行き、一方の手のそのままの握りでホルダーから物品の立ち下がり部位（柄）およびヘッドを外に取り出すことができるとともに、ホルダーにセットされ物品の立ち下がり部位（柄）が立ち下がり状態であるときで、物品の立ち下がり部位（柄）が立ち下がり部位振れ規制部内にあるときは、物品の立ち下がり部位（柄）は立ち下がり部位振れ規制部によって左右に振れ動くことが規制されるので、その状態にあるときはヘッドの振れも小さいものに抑えられ、よって、ハンマーの振れが規制されている状態・時間が大幅に長くなるので、より安定したハンマー保持を実現するという効果を奏する。
＜付記２記載の発明の効果＞
ヘッドが上がるのを規制するヘッド上がり移動規制部が設けられ、且つ、前記ヘッド上がり移動規制部を回避して該ヘッドを出入り自在とするヘッド出入り開口が、該ヘッド上がり移動規制部とヘッド外側移動規制部の間に形成されてなることを特徴とする付記１記載のＴ字型部位を有する物品のホルダーであるので、付記１記載の発明と同様な効果を奏するとともに次に述べるような効果を奏する。
すなわち、
ヘッドが上がるのを規制するヘッド上がり移動規制部が設けられているので、ヘッドのそのものの左右回動振れが抑えられるので、物品の立ち下がり部位（柄）が立ち下がり部位振れ規制部の外に振れ出ている状態でも物品の立ち下がり部位（柄）およびヘッドの振れを小さく抑えることができるという効果を奏する。
＜付記３記載の発明の効果＞
ヘッド外側移動規制部の上部が内側に向かう形態で形成された、ヘッド載り部上にあるヘッドが上がるのを規制するヘッド上がり移動規制部が設けられ、前記ヘッドが前記ヘッド載り部に載っている状態で、該ヘッドが該ヘッド載り部内に保持されるようにするための、物品の立ち下がり部位のヘッドに近接する箇所が当って該物品の立ち下がり部位の内側への移動を規制する立ち下がり部位内側移動規制部が設けられてなることを特徴とする付記１記載のＴ字型部位を有する物品のホルダーであるので、付記１、２のいずれか1項に記載の発明と同様な効果を奏するとともに、次に述べるような効果を奏する。
すなわち、
ヘッドがヘッド上がり移動規制部から外れて上がる部位まで、物品の立ち下がり部位が外側に大きく起き回動し且つ上方に上がらない限り、ヘッドはヘッド保持部から外れることができないという効果を奏する。
＜付記４記載の発明の効果＞
ヘッド載り部が、腰ベルトに装着されるベルト装着手段に設けられてなることを特徴とする付記１〜３のいずれか１項に記載のＴ字型部位を有する物品のホルダーであるので、付記１〜３のいずれか１項に記載の発明と同様な効果を奏するとともに、腰ベルトに装着した状態で、ハンマー、ラチェットレンチ、Ｔ型レンチ、十字型レンチないしスパナ―などのＴ字型部位を有する物品（この場合は工具）の持ち替え無しの着脱自在保持形態を実現するという効果を奏する。
＜付記５記載の発明の効果＞
ヘッド載り部、ヘッド外側移動規制部、立ち下がり部位振れ規制部、ヘッド上がり移動規制部および立ち下がり部位内側移動規制部が1本の棒状部材ないし1本の線状部材によって形成されてなることを特徴とする付記４記載のＴ字型部位を有する物品のホルダーであるので、付記４記載の発明と同様な効果を奏するとともに、1本の棒状部材ないし1本の線状部材によって形成であることから、材料費および制作費を安価なものにできるという効果を奏する。
＜付記６記載の発明の効果＞
ヘッド載り部、ヘッド外側移動規制部、立ち下がり部位振れ規制部、ヘッド上がり移動規制部、立ち下がり部位内側移動規制部およびベルト装着手段が1本の棒状部材ないし1本の線状部材によって形成されてなることを特徴とする付記４記載のＴ字型部位を有する物品のホルダーであるので、付記４記載の発明と同様な効果を奏するとともに、1本の棒状部材ないし1本の線状部材によって腰ベルトに装着するベルト装着手段も含めて全構成を１本の棒部材ないし線部材による形成であることから、材料費および制作費を安価なものにできるという効果を奏する。
＜付記７記載の発明の効果＞
1本の棒状部材ないし1本の線状部材による形成形態であって、対抗曲げ形態によって立ち下がり部位内側移動規制部が形成され、前記立ち下がり部位内側移動規制部から外側に向けた突出形態で且つ下方に向けて下方外側突出部位が形成され、この下方外側突出部位から内側に向かう形態で下部突出部位が形成され、この下部突出部位から立ち上がり形態でベルト装着手段が形成され、このベルト装着手段から外側に向かって立ち下がり部位内側移動規制部上方を通る外側突出形態でヘッド載り部が形成され、このヘッド載り部から上方に立ち上がる形態でヘッド外側移動規制部が形成され、このヘッド外側移動規制部が内側に向かった内側突出形態でヘッド上がり移動規制部が形成されてなるとともに、前記下方外側突出部位および前記下部突出部位あるいはいずれか一方が立ち下がり部位振れ規制部であることを特徴とする付記６記載のＴ字型部位を有する物品のホルダーであるので、付記６記載の発明と同様な効果を奏する。
【産業上の利用可能性】
【００３２】
本発明は、主に腰ベルトにハンマーあるいはラチェットなどの工具を腰ベルトに保持するホルダーを製造する産業、腰ベルトを製造する産業、腰ベルトを使用する産業で利用される。
【符号の説明】
【００３３】
１：Ｔ字型部位を有する物品のホルダー、
２：ヘッドの左側突出部位、
３：ヘッドの右側突出部位、
４：Ｔ字型部位を有する物品、
６：腰ベルト、
７ａ：上ベルト通し孔、
７ｂ：下ベルト通し孔、
８：ベルト装着手段、
９：左側ヘッド載り部位、
１０：左側ヘッド外側移動規制部、
１１：左側案内支持部、
１２：物品の立ち下がり部位、
１３：右側ヘッド載り部位、
１４：右側ヘッド外側移動規制部、
１５：右側案内支持部、
１６：立ち下がり部位出入り口、
１７：立ち下がり部位移動空間、
１８：ヘッド上がり移動規制部、
１９：ヘッド出入り開口、
２０：連絡部位、
２１：連絡部位、
２２：連絡部位、
２３：ベルト装着手段本体、
２４：ヘッド、
２７：ベルト通し孔、
２８：ベルト装着手段、
２９：Ｔ字型部位を有する物品のホルダー、
３１：Ｔ字型部位を有する物品のホルダー、
３２：ベルト通し孔、
３３：Ｔ字型部位を有する物品のホルダー、
３５：上下移動案内部、
３６：上下移動体、
３７：Ｔ字型部位を有する物品のホルダー、
３８：外側部位、
３９：上下移動部位、
４０：上下移動体、
４１：Ｔ字型部位を有する物品のホルダー。
４８：ヘッド外側移動規制部、
４９：ヘッド保持部、
５０：立ち下がり部位出入り開口、
５１：右側振れ規制部、
５２：左側振れ規制部、
５３：立ち下がり部位振れ規制部、
５４ａ、５４ｂ：くびれ部、
５５：立ち下がり部位振れ規制部、
５６：Ｔ字型部位を有する物品のホルダー、
５９：Ｔ字型部位を有する物品、
６０：Ｔ字型部位を有する物品のホルダー、
６１：物品の立ち下がり部位、
６２：ヘッド、
６３：ヘッドの右側突出部位、
６４：ヘッドの左側突出部位、
６５：ベルト装着手段、
６６：連絡部、
６７ａ：右側ヘッド載り部、
６７ｂ：左側ヘッド載り部、
６８ａ：右側ヘッド外側移動規制部、
６８ｂ：左側ヘッド外側移動規制部、
６９ａ：右側ヘッド上がり移動規制部、
６９ｂ：左側ヘッド上がり移動規制部、
７０ａ：右側ヘッド保持部、
７０ｂ：左側ヘッド保持部、
７０：ヘッド保持部、
７１：立ち下がり部位移動空間、
７２：立ち下がり部位出入り口、
７３ａ：右側ヘッド出入り開口、
７３ｂ：左側ヘッド出入り開口、
７４：ヘッド出し入れ空間、
７５：立ち下がり部位内側移動規制部、
７６：下立ち下がり部位出入り開口、
７７ａ：右側振れ規制部、
７７ｂ：左側振れ規制部、
７７：立ち下がり部位振れ規制部、
７７ａ−Ｙ：右側下方外側突出部位、
７７ｂ−Ｙ：左側下方外側突出部位、
７７ａ−Ｘ：右側下部突出部位、
７７ｂ−Ｘ：左側下部突出部位、
７８：ベルト通し孔、
７９：ベルト装着手段、
８２：内側振れ規制部、
８３：Ｔ字型部位を有する物品のホルダー、
８６：上部材、
８７：立ち上が板、
８８：プレート体、
８９：Ｔ字型部位を有する物品のホルダー、
９１：形成起点部、
９２：立ち上がり部、
９３：上部材、
９４：プレート体、
９５：Ｔ字型部位を有する物品のホルダー、
９６：Ｔ字型部位を有する物品のホルダー、
９７：Ｔ字型部位を有する物品のホルダー、
９８ａ：右側延長部、
９８ｂ：左側延長部、
９９：Ｔ字型部位を有する物品のホルダー、
１００：補助ベルト、
１０１：腰ベルト、
１０２：結束バンド、
１０３：ヘッド内側規制種団、
１０４：ヘッド上方移動規制部、
１０５：Ｔ字型部位を有する物品のホルダー、
１０７：Ｔ字型部位を有する物品のホルダー。
【要約】      （修正有）【課題】ホルダーに保持されている状態にあるときは物品の立ち下がり部位（柄）の左右振れが小さく抑えられることによって、ヘッドの左右振れも小さく抑えられるＴ字型部位を有する物品のホルダーを提供する【解決手段】ベルト装着手段８に取り付けられて外側に突出するようにヘッド保持部４９（左側ヘッド載り部位９、右側ヘッド載り部位１３）の下方に位置された、Ｔ字型部位を有する物品４の物品の立ち下がり部位１２（柄）を外側に出入り自在とする立ち下がり部位出入り開口５０、物品の立ち下がり部位１２の右側への振れを規制する右側振れ規制部５１、物品の立ち下がり部位１２の左側への振れを規制する左側振れ規制部５２とからなる立ち下がり部位振れ規制部５３とを備えてなる構成である。【選択図】図２【図１】
0005130510.tif 000002
【図２】
0005130510.tif 000003
【図３】
0005130510.tif 000004
【図４】
0005130510.tif 000005
【図５】
0005130510.tif 000006
【図６】
0005130510.tif 000007
【図７】
0005130510.tif 000008
【図８】
0005130510.tif 000009
【図９】
0005130510.tif 000010
【図１０】
0005130510.tif 000011
【図１１】
0005130510.tif 000012
【図１２】
0005130510.tif 000013
【図１３】
0005130510.tif 000014
【図１４】
0005130510.tif 000015
【図１５】
0005130510.tif 000016
【図１６】
0005130510.tif 000017
【図１７】
0005130510.tif 000018
【図１８】
0005130510.tif 000019